(57)【特許請求の範囲】
【請求項１】
上端が開口した函型の容器と、この容器の開口部に取付固定される天蓋とを備えた輸送容器における天蓋の取付構造であって、
前記容器の開口部の縁を構成する部材に設けられたスリット穴と、
前記開口部の縁コーナに適合する平板部と、この平板部から下方に延在し、前記開口部の縁コーナ外側に適合する内側縁部と、この内側縁部の下端から外側にＵ字状に湾曲しさらに上方に延在した外側縁部と、前記平板部から下方に延在した首部、および、この首部から下方に延在した弾性変形可能な弾性部を有する爪片と、前記内側縁部から外側に突出した爪部とを備えた取付金具と、
前記開口部を閉塞可能な大きさを有する天板部と、この天板部から下方に延在した側縁部と、この側縁部に設けられた係合部とを備えた天蓋とで構成され、
前記取付金具の爪片をスリット穴に挿入し、その弾性部をスリット穴によって弾性変形させながら首部まで嵌め入れることにより、前記取付金具を開口部の縁コーナに取付固定し、さらに、前記取付金具の内側縁部と外側縁部との間に形成されるコーナ空間に、前記天蓋の側縁部のコーナを挿入し、その係合部を前記爪部に係合させることにより、前記天蓋を取付金具を介して開口部の縁に取付固定すること特徴とする輸送容器における天蓋の取付構造。
【請求項２】
上端が開口した容器と、この容器の開口部に取付固定される天蓋とを備えた輸送容器における天蓋の取付構造であって、
前記容器の開口部の縁コーナを構成する中空状の支柱に設けられたスリット穴と、
前記開口部の縁コーナに適合する平板部と、この平板部から下方に延在し、前記開口部の縁コーナ外側に適合する内側縁部と、この内側縁部の下端から外側にＵ字状に湾曲しさらに上方に延在した外側縁部と、前記平板部から下方に延在し、前記支柱の中空穴に適合する爪片と、前記内側縁部から外側に突出した外爪部と、前記内側縁部から内側に突出した内爪部とを備えた取付金具と、
前記開口部を閉塞可能な大きさを有する天板部と、この天板部から下方に延在した側縁部と、この側縁部に設けられた係合部とを備えた天蓋とで構成され、
前記取付金具の内爪部を前記支柱のスリット穴に嵌め入れ、かつ、前記爪片を前記支柱の中空穴上端に適合させることにより、前記取付金具を開口部の縁コーナに取付固定し、さらに、前記取付金具の内側縁部と外側縁部との間に形成されるコーナ空間に、前記天蓋の側縁部のコーナを挿入し、その係合部を前記外爪部に係合させることにより、前記天蓋を取付金具を介して開口部の縁に取付固定すること特徴とする輸送容器における天蓋の取付構造。
【発明の詳細な説明】
【０００１】
【産業上の利用分野】
本発明は、輸送容器における天蓋の取付構造に関し、上端が開口した容器と、この容器の開口部に取付固定される天蓋とを備えた輸送容器一般に利用することができる。
【０００２】
【従来の技術】
物品又は材料を収容して輸送するための輸送容器として、例えば図９に示すような鋼板製容器が使用されている。この輸送容器は、上端が開口した函型の容器１と天蓋２とに分離されており、使用に際し、収容物を容器１の内部に収容した後、容器１の開口部Ａの縁に天蓋２を取付固定するものである。
【０００３】
容器１は、３本の台脚１ａ、底板１ｂ、４本の支柱１ｃ、４枚のパネル板１ｄ、および４本の上かまち１ｅを主要な構成要素とする結合構造体である。各支柱１ｃは底板１ｂのコーナ部に立設され、各パネル板１ｄは底板１ｂの辺部に立設される。各上かまち１ｅは支柱１ｃの上端部間に横架される。パネル板１ｄは例えば同図に示すような波形鋼板で、波の軸を上下方向に向けて使用される。上かまち１ｅは断面略コ字形のアングル材で、そのコ字形部分にパネル板１ｄの上端が被着される。
【０００４】
天蓋２は、容器１の開口部Ａを閉塞可能な大きさを有する天板部２ａと、天板部２ａの４辺から下方に連続して延在した側縁部２ｂとを備えている。天蓋２は、側縁部２ｂを下にして上方から容器１の開口部Ａに被着する。側縁部２ｂの内側が開口部Ａの縁外側に適合することにより、天蓋２は容器１に程よく嵌まる。天蓋２は上記のようにして容器１の開口部Ａに被着された後、開口部Ａの縁に固定される。そのための手段として、従来より、天蓋２の側縁部２ｂを、開口部Ａの縁を構成する上かまち１ｅにタッピングビス等で締め付け固定する手段が採用されてきたが、取付作業に多くの手間と時間を要するため、作業性改善を目的として、図１０あるいは図１１に示すような、ワンタッチ式の取付構造が採用される場合がある。
【０００５】
図１０に示す取付構造は、天蓋２のコーナ部外側面に溶接等で固着した取付金具１３（コーナ金具）の爪片１３ｃを、上かまち１ｅの外側縁部１ｅ３の下端に係合させて天蓋２を固定するものである。取付金具１３の爪片１３ｃは内側に湾曲した形状をなし、天蓋２を上方向にずらそうとする力に対して、爪片１３ｃと上かまち１ｅとの係合力（固定力）が働くことにより、天蓋２の容器１からの脱落が防止される。
【０００６】
図１１に示す取付構造は、天蓋２のはり１２に溶接等で固着した取付金具２３（コ字形金具）の爪片２３ｃを、上かまち１ｅの外側側縁部１ｅ３の下端に係合させて天蓋２を固定するものである。爪片２３ｃは上記爪片１３ｃと同じ形状をなし、上記と同様の作用により、天蓋２の容器１からの脱落が防止される。
【０００７】
【発明が解決しようとする課題】
上述した従来の取付構造において、取付金具１３（２３）の爪片１３ｃ（２３ｃ）と上かまち１ｅの外側縁部１ｅ３との係合力（固定力）は、天蓋２を上方向にずらそうとする力に対して働きを持つもので、天蓋２を前後方向（紙面と垂直方向）または左右方向（紙面と平行方向）にずらそうとする力に対しては働きを持たない。そのため、天蓋２に前後方向または左右後方の横ずれや歪み等が生じると、係合力（固定力）に低下をきたしたり、場合によっては、爪片１３ｃが外側縁部１ｅ３からはずれ、天蓋２が容器１から脱落してしまう可能性もある。
【０００８】
また、取付金具１３（２３）を天蓋２に固着するための作業（溶接等）が必要であり、製造工程増につながる。
【０００９】
さらに、図１０に示す取付構造においては、取付金具１３の爪片１３ｃが外部に露出しているので、荷降などの際、他の輸送容器やその他周辺部材が爪片１３ｃに当たり、爪片１３ｃが変形を起こすことにより、上記と同様に、固定力の低下や消失をきたすおそれもある。
【００１０】
そこで、本発明は、簡単な構造でありながら安定した固定力を備え、しかも製造工程が簡素でかつ取付作業が容易な取付構造を提供しようとするものである。
【課題を解決するための手段】
【００１１】
本発明の取付構造は、▲１▼容器の開口部の縁を構成する部材に設けられたスリット穴、▲２▼開口部の縁コーナに適合する平板部と、この平板部から下方に延在し、開口部の縁コーナ外側に適合する内側縁部と、この内側縁部の下端から外側にＵ字状に湾曲しさらに上方に延在した外側縁部と、平板部から下方に延在した首部、および、この首部から下方に延在した弾性変形可能な弾性部を有する爪片と、内側縁部から外側に突出した爪部とを備えた取付金具、▲３▼開口部を閉塞可能な大きさを有する天板部と、この天板部から下方に延在した側縁部と、この側縁部に設けられた係合部とを備えた天蓋とで構成され、▲４▼取付金具の爪片をスリット穴に挿入し、その弾性部をスリット穴によって弾性変形させながら首部まで嵌め入れることにより、取付金具を開口部の縁コーナに取付固定し、▲５▼さらに、取付金具の内側縁部と外側縁部との間に形成されるコーナ空間に、天蓋の側縁部のコーナを挿入し、その係合部を爪部に係合させることにより、天蓋を取付金具を介して開口部の縁に取付固定するものである。
【００１２】
また、本発明の取付構造は、▲１▼容器の開口部の縁コーナを構成する中空状の支柱に設けられたスリット穴、▲２▼開口部の縁コーナに適合する平板部と、この平板部から下方に延在し、開口部の縁コーナ外側に適合する内側縁部と、この内側縁部の下端から外側にＵ字状に湾曲しさらに上方に延在した外側縁部と、平板部から下方に延在し、支柱の中空穴に適合する爪片と、内側縁部から外側に突出した外爪部と、内側縁部から内側に突出した内爪部とを備えた取付金具、▲３▼開口部を閉塞可能な大きさを有する天板部と、この天板部から下方に延在した側縁部と、この側縁部に設けられた係合部とを備えた天蓋とで構成され、▲４▼取付金具の内爪部を支柱のスリット穴に嵌め入れ、かつ、爪片を支柱の中空穴上端に適合させることにより、取付金具を開口部の縁コーナに取付固定し、▲５▼さらに、取付金具の内側縁部と外側縁部との間に形成されるコーナ空間に、天蓋の側縁部のコーナを挿入し、その係合部を外爪部に係合させることにより、天蓋を取付金具を介して開口部の縁に取付固定するものである。
【００１３】
【作用】
天蓋を取付固定するに際しては、まず、容器の開口部の縁コーナに取付金具を取付固定し、つぎに、取付金具のコーナ空間に天蓋の側縁部のコーナを挿入する。
【００１４】
取付金具の爪片を、その弾性部を弾性変形させながらスリット穴を貫通させて首部まで嵌め入れると、上方向の力に対してはスリット穴を貫通して弾性復元した弾性部とスリット穴を形成した部材との係合力が働き、前後左右方向の力に対しては首部と上記部材との係合力が働く。これにより、取付金具は開口部の縁コーナに取付固定される。
【００１５】
天蓋の側縁部のコーナを取付金具のコーナ空間に挿入し、側縁部に設けられた係合部を取付金具の爪部に係合させると、上方向の力に対しては係合部と爪部との係合力が働き、前後左右方向の力に対しては側縁部と内側縁部または外側縁部との係合力が働く。これにより、天蓋は取付金具を介して開口部の縁に固定される。
【００１６】
取付金具の内爪部を支柱のスリット穴に嵌め入れ、かつ、爪片を支柱の中空穴上端に適合させることにより、上方向の力に対しては内爪部と支柱との係合力が働き、前後左右方向の力に対して内爪部および爪片と支柱との係合力が働く。これにより、取付金具は開口部の縁コーナに取付固定される。
【００１７】
【実施例】
以下、本発明を図９に示す輸送容器に適用した実施例について説明する。尚、本発明は上端が開口した容器と、この容器の開口部に取付固定される天蓋とを備えた輸送容器一般について適用可能であり、特に、図９に示す輸送容器に限って適用し得るものではない。
【００１８】
図１に示すように、天蓋２は取付金具３を介して容器１の開口部Ａの縁に取付固定される。天蓋２は、側縁部２ｂの下端を内側にＵ字状に折り返し加工（ヘミング加工）した係合部２ｃを備えている（図１ｂ参照）。また、容器１の開口部Ａの縁を構成する部材、すなわち支柱１ｃおよび上かまち１ｅのうち、上かまち１ｅにスリット穴１ｅ１が設けられている。スリット穴１ｅ１は、図４に示すような長短寸法Ｌ１、Ｌ２を有する。
【００１９】
図２に示すように、取付金具３は、開口部Ａの縁コーナに適合する平板部３ａと、平板部３ａから下方に連続して延在し、開口部Ａの縁コーナ外側に適合する内側縁部３ｂ１と、内側縁部３ｂ１の下端から外側にＵ字状に湾曲しさらに上方に延在した外側縁部３ｂ２と、平板部３ａを両角部分において内側に切り起こし、さらに湾曲状に成形した２つの爪片３ｃと、内側縁部３ｂ１を外側に切り起こした２つの爪部３ｄ（図２ｄ参照）とを備えている。内側縁部３ｂ１と外側縁部３ｂ２との間には、開口部Ａの縁コーナに沿ったコーナ空間Ｍが形成される。尚、この実施例では、外側縁部３ｂ２の上端を、天板部３ａよりも上方に寸法ｔだけ延在させている（図２ｂ参照）。
【００２０】
爪片３ｃは、平板部３ａから下方に連続して延在した首部３ｃ１と、首部３ｃ１から下方に連続した湾曲部３ｃ２と、湾曲部３ｃ２から下方に連続して延在した下端部３ｃ２とを有する。首部３ｃ１、湾曲部３ｃ２、下端部３ｃ３は同幅（Ｗ３）である。また、湾曲部３ｃ２は上下方向の曲率を有し、そのため、湾曲部３ｃ２は厚さ方向から圧縮力を受けると厚さ寸法（Ｓ３：図２ｂ参照）が縮小する方向に弾性変形する。図４に示すスリット穴１ｅの寸法との関係は、Ｗ３≦Ｌ１、Ｓ３〉Ｌ２である。
【００２１】
図３は、天蓋２の取付固定後の状態を示している。天蓋２を取付固定するに際しては、まず、開口部Ａの縁コーナに取付金具３を取付固定し、つぎに、取付金具３のコーナ空間Ｍに、天蓋２の側縁部２ｂのコーナを挿入する。
【００２２】
取付金具３の取付固定は、その爪片３ｃを上かまち１ｅのスリット穴１ｅ１に嵌め入れることにより、ワンタッチで行なうことができる。すなわち、爪片３ｃを下端部３ｃ３からスリット穴１ｅ１に挿入してゆくと、Ｓ３〉Ｌ２であるため、湾曲部３ｃ２の凸曲側の中央部がスリット穴１ｅ１の長寸法Ｌ１側の壁面と接触し、湾曲部３ｃ２が厚さ方向に圧縮されて弾性変形する。そして、湾曲部３ｃ２は、その上端がスリット穴１ｅ１を貫通した時点で弾性復元し、Ｓ３〉Ｌ２となる。この時、スリット穴１ｅには首部３ｃ１が挿入されている。
【００２３】
以上のようにして、取付金具３の爪片３ｃを、湾曲部３ｃ２を弾性変形させながらスリット穴１ｅ１を貫通させて首部３ｃ１まで嵌め入れると、上方向の力に対しては湾曲部３ｃ２の上端と上かまち１ｅとの係合力が働き、前後左右方向（紙面と垂直又は水平方向）の力に対しては首部３ｃ１と上かまち１ｅとの係合力が働くことにより、爪片３ｃがスリット穴１ｅ１から抜けなくなる。これにより、取付金具３は容器１の開口部Ａの縁に固定される。この固定力は、上方向及び前後左右方向に作用する。
【００２４】
天蓋２の取付固定は、その側縁部２ｂのコーナを取付金具３のコーナ空間Ｍに挿入し、Ｕ字状に折り返し加工された係合部２ｃを、爪部３ｄに係合させることにより、ワンタッチで行なうことができる。係合部２ｃを爪部３ｄに係合させると、上方向の力に対しては係合部２ｃと爪部３ｄとの係合力が働き、前後左右方向の力に対しては側縁部２ｂ（係合部２ｃ）と内側縁部３ｂ１または外側縁部３ｂ２との係合力が働くことにより、天蓋２が取付金具３を介して開口部Ａの縁に固定される。この固定力も、上方向及び前後左右方向に作用するので、天蓋２の横ずれ又は歪み等が生じた場合でも、天蓋２は容易に容器１から脱落しなくなる。尚、天蓋の係合部２ｃは、この実施例のように、側縁部２ｂの下端を内側に折り返し加工したものに限られず、例えば図６に示すように、側縁部２ｂに貫通窓２ｃ’を設け、これを爪部３ｄに係合させる構成としても良い。
【００２５】
天蓋２の取付固定後、取付金具３の外側縁部３ｂ２が、天蓋２の天板部２ａから上方に寸法ｔ’（ｔ―天板部２ａの肉厚）だけ突出するが、この突出した部分は、この輸送容器の上に他の輸送容器を積重ねたりする場合において、他の輸送容器の下端コーナを側方から支え、その位置ずれや荷崩れを防止する機能をもつものである。輸送容器の荷積み、輸送、保管にきわめて便利である。
【００２６】
取付金具３の爪片３ｃは、図５に示すような形状にしても良い。この実施例の爪片３ｃは、図２に示す平板部３ａから下方に連続して延在した幅狭の首部３ｃ１と、首部３ｃ１から下方に連続して延在した逆台形状の湾曲部３ｃ２とを有する。湾曲部３ｃ２は幅方向（平板部３ａの辺方向）の曲率を有し、そのため、湾曲部３ｃ２は幅方向から圧縮力を受けると幅寸法（Ｗ）が縮小する方向に弾性変形し、逆に、幅と直行する方向（厚さ方向とする。）から圧縮力を受けると厚さ寸法（Ｓ）が縮小する方向に弾性変形する。また、湾曲部３ｃ２の両側端３ｃ３はそれぞれ幅方向および厚さ方向に傾斜し、そのため、湾曲部３ｃ２はその上端から下端にかけて幅寸法および厚さ寸法が漸次減少した形状をなす（自然状態の幅寸法Ｗ１〉Ｗ２、自然状態の厚さ寸法Ｓ１〉Ｓ２）。
【００２７】
上記のような形状・寸法を有する２つの爪片３ｃを、上かまち１ｅのスリット穴１ｅ１にそれぞれ嵌め入れて、取付金具３を開口部Ａの縁コーナに取付固定するのであるが、これには、爪片３ｃの湾曲部３ｃ２の寸法（Ｗ１、Ｗ２、Ｓ１、Ｓ２）と図４に示すスリット穴１ｃの長短寸法Ｌ１、Ｌ２との関係により、以下の２つの態様がある。
【００２８】
まず、第１の態様は、Ｓ１〉Ｌ２≧Ｓ２、Ｗ１≦Ｌ１と設定し、湾曲部３ｃ２の厚さ方向の弾性変形能を利用して、爪片３ｃをスリット穴１ｅ１に嵌め入れるものである。すなわち、湾曲部３ｃ２をその下端（Ｓ２）からスリット穴１ｅ１に挿入してゆくと、Ｓ１〉Ｌ２≧Ｓ２であるため、湾曲部３ｃ２の凸曲側の中央部と両側部３ｃ３がそれぞれスリット穴１ｅ１の長寸法Ｌ１側の壁面と接触し、湾曲部３ｃ２がスリット穴１ｅ１によって厚さ方向に圧縮されて弾性変形する。この時、湾曲部３ｃ２の両側部３ｃ３が厚さ方向に傾斜した形状になっているので（Ｓ１〉Ｓ２）、湾曲部３ｃ２が受ける圧縮力はスリット穴１ｅ１への挿入寸法に比例して漸次に増大してゆき、これに伴い、湾曲部３ｃ２の弾性変形量は漸次に増加してゆく。そして、湾曲部３ｃ２は、その上端（Ｓ１）がスリット穴１ｅ１を貫通した時点で弾性復元し、Ｓ１〉Ｌ２となる。この時、スリット穴１ｅには首部３ｃ１が挿入されている。
【００２９】
以上のようにして、取付金具３の爪片３ｃを、湾曲部３ｃ２を弾性変形させながらスリット穴１ｅ１を貫通させて首部３ｃ１まで嵌め入れると、天蓋２を上方向にずらそうとする力に対しては湾曲部３ｃ２の上端（Ｓ１）と上かまち１ｅとの係合力が働き、前後左右方向にずらそうとする力に対しては首部３ｃ１と上かまち１ｅとの係合力が働くことにより、爪片３ｃがスリット穴１ｅ１から抜けなくなる。これにより、取付金具３が容器１の開口部Ａの縁に固定される。この固定力は、上方向及び前後左右方向に作用する。また、爪片３ｃをスリット穴１ｅに嵌め入れる際、厚さ方向に傾斜した両側端部３ｃ３が湾曲部３ｃ２の挿入を円滑に案内するので、固定作業に大きな力を必要とせず、しかも過大な嵌め入れ力による爪片３ｃの座屈変形も防止される。
【００３０】
つぎに、第２の態様は、Ｗ１〉Ｌ１≧Ｗ２、Ｓ１≦Ｌ２と設定し、湾曲部３ｃ２の幅方向の弾性変形能を利用して、爪片３ｃをスリット穴１ｅ１に嵌め入れるものである。すなわち、湾曲部３ｃ２をその下端（Ｗ２）からスリット穴１ｅ１に挿入してゆくと、Ｗ１〉Ｌ１≧Ｗ２であるため、湾曲部３ｃ２の両側部３ｃ３がそれぞれスリット穴１ｅ１の短寸法Ｌ２側の壁面と接触し、湾曲部３ｃ２がスリット穴１ｅ１によって幅方向に圧縮されて弾性変形する。そして、湾曲部３ｃ２は、その上端（Ｗ１）がスリット穴１ｅ１を貫通した時点で弾性復元し、Ｗ１〉Ｌ１となる。この時、スリット穴１ｅには首部３ｃ１が挿入されている。その他の基本的な作用、および、効果は上記第１の態様と同様であるので重複する説明を省略する。
【００３１】
尚、以上の実施例において、爪片３ｃの湾曲部３ｃ２はスリット穴１ｅ１を貫通した時点で弾性復元し、上かまち１ｅと上方向に係合可能となる機能を有するもの故、このような機能を奏する限りにおいて、他の要素で置換することが可能である。例えば、硬質ゴム、樹脂等の弾性を有する材料を所定形状に成形し、爪片３ｃに固着した構成などが考えられる。
【００３２】
図７および図８に示す実施例は、支柱１ｃのスリット穴１ｃ１と中空穴１ｃ２とを利用して、取付金具３を容器１の開口部Ａの縁コーナに取付固定するものである。
【００３３】
図７に示すように、取付金具３は、開口部Ａの縁コーナに適合する平板部３ａと、平板部３ａから下方に連続して延在し、開口部Ａの縁コーナ外側に適合する内側縁部３ｂ１と、内側縁部３ｂ１の下端から外側にＵ字状に湾曲しさらに上方に延在した外側縁部３ｂ２と、平板部３ａを下方に切り起こした４つの爪片３ｃ’と、内側縁部３ｂ１を外側に切り起こした２つの外爪部３ｄ（同図では１つのみ図示）と、内側縁部３ｂ１を内側に切り起こした２つの三角突起状の内爪部３ｄ’（同図では１つのみ図示）とを備えている。４つの爪片３ｃ’は四角状に配列され、それぞれ、支柱１ｃの中空穴１ｃ２の各内側辺に適合する位置、寸法になっている。また、内爪部３ｄ’は、その上端から下端にかけて突出寸法が漸次減少した形状をなす。
【００３４】
取付金具３の取付固定は、内爪部３ｄ’を支柱１ｃの外側壁面に接触させ、これを、主に側縁部３ｂ１の弾性変形によって外側に変位させながら外側壁面上を下方に滑らせてゆく。内爪部３ｄ’は、その上端がスリット穴１ｃ１に達した時点で内側に復元変位し、図８ｂに示すように、スリット穴１ｃ１に嵌まり込む。同時に、平板部３ａに設けられた４つの爪片３ｃ’も支柱１ｃの中空穴１ｃ２に嵌まり込む。
【００３５】
以上のようにして、取付金具３の内爪部３ｄ’を、弾性的に外側に変位させながらスリット穴１ｃ１に嵌め入れ、かつ、爪片３ｃ’を支柱１ｃの中空穴１ｃ２に嵌め入れると、上方向の力に対しては内爪部３ｄ’の上端と支柱１ｃとの係合力が働き、前後左右方向にずらそうとする力に対しては内爪部３ｄ’の両側および爪片３ｃ’と支柱１ｃとの係合力が働くことにより、取付金具３が容器１の開口部Ａの縁に固定される。この固定力は、上方向及び前後左右方向に作用する。尚、天蓋２の取付金具３に対する取付構造は、上述した実施例と同様なので、図８ａに図示するにとどめ、その説明は省略する。
【００３６】
尚、輸送容器の前後左右寸法が大きい場合には、その辺部の固定状態が不十分になることもあり得る。このような場合には、例えば図１２に示すような構造を併用すると良い。この構造は、天蓋２の側縁部２ｂの下端を内側にＵ字状に折り返し加工した係合部２ｃを、上かまち１ｅの外側縁部１ｅ５を外側に切り起こした爪部１ｅ６に係合させるものである。外側側縁部１ｅ５の下端は、外側にＵ字状に湾曲した後、上方に延在している。尚、同図に示す構造は、本出願人による特願平６−１５１８５３号に含まれた種々の構造のうちの一つであるが、同出願に含まれる他の構造を同様に用いても良い。
【００３７】
【発明の効果】
本発明は以下に示す効果を有する。
【００３８】
（１）上方向、前後左右方向に安定した固定力を持つので、天蓋の横ずれや歪みに対しても固定力の低下が生じにくく、安定した固定状態を維持できる。
【００３９】
（２）取付金具は天蓋の内側面に固定され、外部に露出しないので、荷降などの際、他部材との当接によって爪片又は爪部に変形をきたす心配がなく、安定した固定力を維持できる。
【００４０】
（３）爪片又は爪部をスリット穴に嵌め入れるだけで良いので、天蓋の取付作業をワンタッチでしかも簡単に行なうことができる。
【００４１】
（４）爪片又は爪部とスリット穴との係合構造なので、構造が比較的簡単であり、コスト面でも有利である。
【００４２】
（５）従来構造のように、取付金具を天蓋に溶接等により固着する必要がないので、製造工程が簡素化される。
【図面の簡単な説明】
【図１】本発明の実施例を示す斜視図である。
【図２】図１における取付金具の斜視図（図ａ）、図２ａにおける取付金具のｂ方向矢視図（図ｂ）、爪片の平面図（図ｃ）、爪部の斜視図（図ｄ）である。
【図３】図１における天蓋の取付固定後の状態を示す断面図である。
【図４】図１におけるスリット穴の周辺部を示す平面図である。
【図５】本発明の他の実施例に係わる取付金具の爪片を示す正面図（図ａ）、側面図（図ｂ）、平面図（図ｃ）である。
【図６】本発明の他の実施例に係わる天蓋の係合部を示す斜視図である。
【図７】本発明の他の実施例を示す斜視図である。
【図８】図７における天蓋の取付固定後の状態を示す断面図（図ａおよび図ｂ）である。
【図９】輸送容器を示す斜視図である。
【図１０】従来の取付構造を示す断面図である。
【図１１】従来の取付構造を示す断面図である。
【図１２】実施例において、辺部に併用し得る取付構造を示す斜視図である。
【符号の説明】
１    容器
１ｅ１  スリット穴
１ｃ    支柱
１ｃ１  スリット穴
２    天蓋
２ａ    天板部
２ｂ  側縁部
２ｃ  係合部
３    取付金具
３ｃ  爪片
３ｃ’爪片
３ｄ  爪部（外爪部）
３ｄ’内爪部
【図１】
0003542387.tif 000002
【図２】
0003542387.tif 000003
【図３】
0003542387.tif 000004
【図４】
0003542387.tif 000005
【図５】
0003542387.tif 000006
【図６】
0003542387.tif 000007
【図７】
0003542387.tif 000008
【図８】
0003542387.tif 000009
【図９】
0003542387.tif 000010
【図１０】
0003542387.tif 000011
【図１１】
0003542387.tif 000012
【図１２】
0003542387.tif 000013